(57)【特許請求の範囲】
【請求項１】
電源に接続されたスイッチング素子と、前記スイッチング素子をスイッチングさせるためのスイッチング手段と、前記スイッチング素子に直列に接続された第１の抵抗と、前記第１の抵抗に直列に接続され、他端をグランド電位に接続したサーミスタと、一端を前記第１の抵抗と前記サーミスタとの接続点に接続され、他端を前記電源に接続した第２の抵抗と、前記接続点に接続され前記接続点の信号を監視して、信号が予め決めておいた状態になるとガス通路に設けられた電磁弁を閉じる信号監視手段とを備え、前記スイッチング素子が非導通状態の前記接続点の第１の信号が所定の範囲にあり、且つ、前記スイッチング素子が導通状態の前記接続点の第２の信号との差が、所定の値以下であると、前記電磁弁を閉じることを特徴とするサーミスタ回路監視装置。
【請求項２】
請求項１記載のサーミスタ回路監視装置において、第２の信号が所定の範囲である場合に、第１の信号と前記第２の信号との差が所定の値以下であると、電磁弁を閉じることを特徴とするサーミスタ回路監視装置。
【請求項３】
電源に接続されたスイッチング素子と、前記スイッチング素子をスイッチングさせるためのスイッチング手段と、前記スイッチング素子に直列に接続された第１の抵抗と、前記第１の抵抗に直列に接続され、他端をグランド電位に接続したサーミスタと、前記第１の抵抗と前記サーミスタとの接続点に接続され、他端を前記電源に接続した第２の抵抗と、前記接続点に接続され、前記接続点の信号を監視して、信号が予め決めておいた状態になると、ガス通路に設けられた電磁弁を閉じる信号監視手段により構成され、前記スイッチング素子が非導通状態での前記接続点の第１の信号が所定の範囲の時に、前記スイッチング素子が導通状態の前記接続点の第２の信号が所定の値以下であると、前記電磁弁を閉じることを特徴とするサーミスタ回路監視装置。
【請求項４】
請求項３記載のサーミスタ回路監視装置において、第１の信号が所定の範囲である場合に、第２の信号が所定の値以下であると、電磁弁を閉じることを特徴とするサーミスタ回路監視装置。
【発明の詳細な説明】
【０００１】
【発明の属する技術分野】
本発明は、ガス燃焼機器のサーミスタ回路監視装置に関するものである。
【０００２】
【従来の技術】
近年、ガス調理器の調理油過熱防止装置普及のため、より安価な過熱防止装置が必要となってきている。
【０００３】
従来の過熱防止装置は、センサーとして温度変化に対する抵抗値の変化が小さい、Ｂ定数が小さなサーミスタを使用して、抵抗値の変化を電圧に変換するための分圧抵抗を１本で検知していた。
【０００４】
【発明が解決しようとする課題】
しかし、より安価な過熱防止装置の必要から安価なサーミスタを使用すると、安価なサーミスタは一般にＢ定数が大きいため、温度変化に対する抵抗値の変化が大きく、使用温度範囲が０度から数百度とすると、抵抗値は数ＭΩから百数十Ωまで変化するので１本の分圧抵抗で広い温度範囲を検知しようとすると、高温または低温部で、著しく感度が悪化する。そこで、複数の分圧抵抗を切り換えることで感度の悪化を改善しようとすると、サーミスタの抵抗値が大きいときに第２の抵抗が断線した場合に、電圧監視手段の入力インピーダンスが小さいと、第１の電圧がグランド電位にまで下がらず、比較器による単純な比較のみでは、第２の抵抗が断線が検知できない。
【０００５】
また、スイッチング素子のロスによる電圧降下や、サーミスタのＢ定数のばらつきが大きい場合、サーミスタの抵抗値が大きいと、第１の抵抗の短絡によって第２の電圧が高くなっても、スイッチング素子のロスやサーミスタのばらつきによる電圧誤差範囲と重なってしまい、第１の抵抗の短絡が検知できない。
【０００６】
また、サーミスタのＢ定数のばらつきが大きい場合、第１の抵抗の断線によって第２の電圧が低くなっても、サーミスタのばらつきによる電圧誤差範囲と重なってしまい、第１の抵抗の断線が検知できない。
【０００７】
逆にばらつきが小さなものを使用すると、高価になる。
【０００８】
【課題を解決するための手段】
本発明は前記課題を解決するために、電源に接続されたスイッチング素子と、前記スイッチング素子をスイッチングさせるためのスイッチング手段と、前記スイッチング素子に直列に接続された第１の抵抗と、前記第１の抵抗に直列に接続され、他端をグランド電位に接続したサーミスタと、一端を前記第１の抵抗と前記サーミスタとの接続点に接続され、他端を前記電源に接続した第２の抵抗と、前記接続点に接続され前記接続点の信号を監視して、信号が予め決めておいた状態になるとガス通路に設けられた電磁弁を閉じる信号監視手段とを備え、前記スイッチング素子が非導通状態の前記接続点の第１の信号が所定の範囲にあり、且つ、前記スイッチング素子が導通状態の前記接続点の第２の信号との差が、所定の値以下であると、前記電磁弁を閉じる構成とした。
【０００９】
この構成により、第１の電圧の範囲と、第１の電圧と第２の電圧の差とをスイッチング素子のロスによる電圧降下や、サーミスタのＢ定数のばらつきによる電圧誤差範囲を無視できる値にすることで、第１の抵抗の短絡検知ができる。
【００１０】
【発明の実施の形態】
上記課題を解決するため、本発明の第１の手段として、電源に接続されたスイッチング素子と、そのスイッチング素子に直列に接続された第１の抵抗と、第１の抵抗とスイッチング素子が接続された端子と反対側の端子に接続され、他端を前記電源に接続された第２の抵抗と、第１の抵抗と第２の抵抗の結節点に接続され、他端をグランド電位に接続したサーミスタと、スイッチング素子をスイッチングさせるためのスイッチング手段と、第１の抵抗とサーミスタとの結節点に接続され、その結節点の電圧を監視して所定の電圧状態になるとガス通路に設けられた電磁弁を閉じる電圧監視手段により構成され、スイッチング素子が非導通状態での第１の抵抗とサーミスタとの接続点の第１の電圧が、所定の電圧範囲にあり、且つ、スイッチング素子が導通状態での第１の抵抗とサーミスタとの接続点の第２の電圧との差が、所定の電圧以下であると、電磁弁を閉じるようにした。
【００１１】
また、第２の手段として、第２の電圧が、所定の電圧範囲の時に、第１の電圧と第２の電圧との差が、所定の電圧以下であると、電磁弁を閉じるようにした。
【００１２】
また、第３の手段として、電源に接続されたスイッチング素子と、スイッチング素子に直列に接続された第１の抵抗と、第１の抵抗とスイッチング素子が接続された端子と反対側の端子に接続され、他端を電源に接続された第２の抵抗と、第１の抵抗と第２の抵抗との結節点に接続され、他端をグランド電位に接続したサーミスタと、スイッチング素子をスイッチングさせるためのスイッチング手段と、第１の抵抗とサーミスタとの結節点に接続され、その結節点の電圧を監視して、所定の電圧状態になると、ガス通路に設けられた電磁弁を閉じる電圧監視手段により構成され、スイッチング素子が非導通状態の第１の抵抗とサーミスタとの接続点の第１の電圧が、所定の電圧範囲の時に、スイッチング素子が導通状態での第１の抵抗とサーミスタとの接続点の第２の電圧が、所定の電圧以下であると、前記電磁弁を閉じるようにした。
【００１３】
また、第４の手段として、第１の電圧が、所定の電圧範囲の時に、第２の電圧の電圧が、所定の電圧以下であると、電磁弁を閉じるようにした。
【００１４】
本発明は上記した構成によって、第１の電圧の範囲と第１の電圧と第２の電圧との差をスイッチング素子のロスによる電圧降下や、サーミスタのＢ定数のばらつきによる電圧誤差範囲を無視できる値にすることで、第１の抵抗の短絡検知ができる。
【００１５】
また、第２の電圧を適切な範囲と第１の電圧と第２の電圧との差をサーミスタのＢ定数のばらつきによる電圧誤差範囲を無視できる値にすることで、第１の抵抗の断線検知ができる。
【００１６】
また、第１の電圧を電圧監視手段の入力インピーダンスが無視できる範囲にして、第２の電圧をサーミスタのＢ定数のばらつきによる電圧誤差範囲を無視できる値にすることで、第２の抵抗の断線検知ができる。
【００１７】
また、第２の電圧を電圧監視手段の入力インピーダンスが無視できる範囲にして、第１の電圧をサーミスタのＢ定数のばらつきによる電圧誤差範囲を無視できる値にすることで、第２の抵抗の断線検知ができる。
【００１８】
以下、本発明の実施の形態を図面に基づいて説明する。
図１は本発明のサーミスタ回路監視装置の一実施の形態の構成を示す図である。図１において、電源に接続されたスイッチング素子としてのトランジスタ１にはスイッチング手段５が接続され、そのトランジスタ１には、第１の抵抗２とサーミスタ４が直列に接続されている。更に、トランジスタ１と第１の抵抗２には、並列に第２の抵抗３が接続され、第１の抵抗２と第２の抵抗３とサーミスタ４の結節点には、電圧監視手段７が接続されている。スイッチング手段５は、所定の周期でトランジスタ１をオン、オフする。
【００１９】
電圧監視手段７の入力信号６は、サーミスタ４の抵抗値の変化とトランジスタ１のオン、オフに応じて変化する。電圧監視手段７は、入力信号６の状態に応じて、出力信号１０によりトランジスタ１１を制御し、電磁弁１２を開閉する。
【００２０】
抵抗８、抵抗９は、電圧監視手段７の入力抵抗を表している。
図２は、装置が正常に作動している場合に、サーミスタ４の抵抗値と入力信号６との特性図である。１３と１４は、トランジスタ１がオンの時、１５と１６はトランジスタ１がオフの時の特性で、１３と１４、及び、１５と１６の幅は、サーミスタ４やトランジスタ１の飽和電圧、及び、電圧監視手段７の入力抵抗のばらつきを含んだ場合の一例である。
【００２１】
図３は、第１の抵抗２が短絡した場合の図２と同様の特性図で、１７と１８はトランジスタ１がオンの時、１９と２０はトランジスタ１がオフの時の特性である。図２と図３の特性図は、範囲Ａの部分において、トランジスタ１がオンの時の入力信号６に差がある。従って、トランジスタ１がオフの時の入力信号６が範囲Ａにあるときに、トランジスタ１がオンの時とオフの時のそれぞれの入力信号６の差が通常の場合と異なる場合に出力信号１０によってトランジスタ１１をオフして電磁弁１２を閉弁するように電圧監視手段７の諸定数を決めることで、第１の抵抗２の短絡が検知できる。
【００２２】
図４は、第１の抵抗２または、トランジスタ１のエミッタまたはコレクタが断線した場合の図２と同様の特性図である。トランジスタ１がオンの時とオフの時の特性は重なってしまい、２１及び２２となる。図２と図４の特性図では、範囲Ｂの部分において、トランジスタ１がオンの時とオフの時の入力信号６の差に違いがある。従って、図４においてトランジスタ１がオンの時の入力信号６が範囲Ｂにあるときに、トランジスタ１がオンの時とオフの時のそれぞれの入力信号６の値の差が図２の時と異なった場合は、出力信号１０によってトランジスタ１１をオフして電磁弁１２を閉弁するように電圧監視手段７の諸定数を決めることで、第１の抵抗２または、トランジスタ１のエミッタかコレクタが断線した場合、安全にガスを遮断できる。
【００２３】
図５は、第２の抵抗３が断線した場合の図２と同様の特性図である。２３と２４は、トランジスタ１がオンの時、２５と２６は、トランジスタ１がオフの時の特性である。２５は、電圧監視手段７の入力抵抗８及び９が入力信号６の出力抵抗に対して無視できない場合で、２６は、電圧監視手段７の入力抵抗８及び９が入力信号６の出力抵抗に対して無視できる場合である。電圧監視手段７の入力抵抗８及び９が、入力信号６の出力抵抗に対して無視できない場合、図２と図５の特性図では、範囲Ｃの部分に、トランジスタ１がオフの時の入力信号６に差がある。従って、トランジスタ１がオフの時またはオンの時の入力信号６が範囲Ｃにあるときに、トランジスタ１がオンの時とオフの時のそれぞれの入力信号６の値が通常の状態と異なった場合は、出力信号１０によってトランジスタ１１をオフして電磁弁１２を閉弁するように電圧監視手段７の諸定数を決めることで、第１の抵抗２の短絡が検知できる。
【００２４】
図６は、トランジスタ１のエミッタとコレクタの間が短絡した場合の図２と同様の特性図である。トランジスタ１がオンの時とオフの時の差はなくなり、２７及び２８となる。図２と図５の特性図では、範囲Ｄの部分において、トランジスタ１がオンの時とオフの時の入力信号６の差に違いがある。従って、トランジスタ１がオンの時の入力信号６が範囲Ｄにあるときに、トランジスタ１がオンの時とオフの時のそれぞれの入力信号６の値の差が図２の時と異なった場合には、出力信号１０によってトランジスタ１１をオフして電磁弁１２を閉弁するように電圧監視手段７の諸定数を決めることで、トランジスタ１のエミッタ、コレクタ間の短絡が検知できる。
【００２５】
【発明の効果】
本発明のサーミスタ回路監視装置によれば、下記の効果がある。
【００２６】
（１）第１の電圧の範囲と第１の電圧と第２の電圧との差を、スイッチング素子のロスによる電圧降下やサーミスタのＢ定数のばらつきによる電圧誤差範囲を無視できる値にすることで、第１の抵抗の短絡検知ができるので、第１の抵抗が短絡しても不安全にならず、且つ、温度変化に対する抵抗値の変化が大きな、Ｂ定数が大きいサーミスタを精度良く使用できる。
【００２７】
（２）第２の電圧の範囲と第１の電圧と第２の電圧との差を、サーミスタのＢ定数のばらつきによる電圧誤差範囲を無視できる値にすることで、第１の抵抗が断線または、スイッチング素子が断線した場合に電磁弁を閉弁することで、不安全にならず、且つ、温度変化に対する抵抗値の変化が大きな、Ｂ定数が大きいサーミスタを精度良く使用できる。
【００２８】
（３）第１の電圧を電圧監視手段の入力インピーダンスが無視できる範囲にして、第２の電圧をサーミスタのＢ定数のばらつきによる電圧誤差範囲を無視できる値にすることで、第２の抵抗の断線検知ができるので、第２の抵抗が断線しても不安全にならず、且つ、温度変化に対する抵抗値の変化が大きな、Ｂ定数が大きいサーミスタを精度良く使用できる。
【００２９】
（４）第２の電圧を電圧監視手段の入力インピーダンスが無視できる範囲にして、第１の電圧をサーミスタのＢ定数のばらつきによる電圧誤差範囲を無視できる値にすることで、第２の抵抗の断線検知ができるので、第２の抵抗が断線しても不安全にならず、且つ、温度変化に対する抵抗値の変化が大きな、Ｂ定数が大きいサーミスタを精度良く使用できる。
【図面の簡単な説明】
【図１】本発明の一実施の形態のサーミスタ回路監視装置の構成を示す図
【図２】同サーミスタ回路監視装置のサーミスタの抵抗値と入力信号との関係を示す特性図
【図３】同サーミスタ回路監視装置において、第１の抵抗が短絡した場合の特性図
【図４】同サーミスタ回路監視装置において、第１の抵抗または、トランジスタ１のエミッタかコレクタが断線した場合の特性図
【図５】同サーミスタ回路監視装置において、第２の抵抗が断線した場合の特性図
【図６】同サーミスタ回路監視装置において、トランジスタ１のエミッタ、コレクタ間が短絡した場合の特性図
【符号の説明】
１、１１  トランジスタ（スイッチング素子）
２  第１の抵抗
３  第２の抵抗
４  サーミスタ
５  スイッチング手段
７  電圧監視手段
８、９  抵抗
１２  電磁弁
【図１】
0003697757.tif 000002
【図２】
0003697757.tif 000003
【図３】
0003697757.tif 000004
【図４】
0003697757.tif 000005
【図５】
0003697757.tif 000006
【図６】
0003697757.tif 000007